(57)【要約】【課題】  市販されている安価なハンド型電動ジグソーを用い、これを専用の取付台に取り付けて固定することにより、切断時のハンド型電動ジグソーの振れをなくして、正確な位置で切断できるようにして、日曜大工などにおいて正確な設計寸法による物の製作を可能にする。【解決手段】  作業テーブル２の下面側に市販のハンド型電動ジグソー１０１を取り付け固定する取付固定盤３を設け、作業テーブル２の表面にジグソー貫通孔４を形成し、作業テーブル２の下面側から上向きに貫通突出するジグソー１０２の両側で切断部材を押えて切断時に切断部材が振動するのを防ぐ押え片５１を備えた押え盤５を作業テーブル２の上面側に設け、ガイド盤６を作業テーブル２の上面側に設け、作業テーブル２の周縁部に複数の支持脚７を設けた。【選択図】        図１
0003116499.tif 000002
【実用新案登録請求の範囲】
【請求項１】
作業テーブルの下面側に市販のハンド型電動ジグソーをそのジグソーを上向きにして取り付け固定する取付固定盤を設け、作業テーブルの表面に下面側に取り付け固定したハンド型電動ジグソーのジグソーが上向きに貫通するジグソー貫通孔を形成し、作業テーブルの下面側から上向きに貫通突出するジグソーの両側で切断部材を押えて切断時に切断部材が振動するのを防ぐ押え片を備えた押え盤を作業テーブルの上面側に設け、切断部材の切断中にこれをガイドするガイド盤を作業テーブルの上面側に設け、作業テーブルの周縁部に複数の支持脚を設けたことを特徴とするハンド型電動ジグソー用取付台。
【請求項２】
作業テーブルの下面側の中央部位に市販のハンド型電動ジグソーの前部側に設けられたベースが挿入されるベース穴を形成し、ベースから前方に突出するジグソーを上向きにして、ベース穴に挿入されるハンド型電動ジグソーのベースの周縁側を上向きに押圧しそのジグソーを上向きにして取り付け固定するベース穴の外周側に配置された複数のスライド固定片からなる取付固定盤を設け、作業テーブルの表面に下面側に取り付け固定したハンド型電動ジグソーのジグソーが上向きに貫通するジグソー貫通孔を形成し、作業テーブルの下面側から上向きに貫通突出するジグソーの両側で切断部材を押えて切断時に切断部材が振動するのを防ぐ上下に弾持された押え片と該押え片を昇降調節自在に下向きに支持する吊持片と該吊持片の上部を支持し下部が作業テーブルに着脱自在に取り付けられる支持アームとを備えた押え盤を作業テーブルの上面側に設け、切断部材の切断中に該切断部材の側面に沿ってこれをガイドするガイド盤を作業テーブルの上面側に可動及び固定自在に設け、作業テーブルの周縁部に折り畳み自在な複数の支持脚を設けたことを特徴とするハンド型電動ジグソー用取付台。
【請求項３】
押え片から上方に向けて突出するジグソーの外周側には透明な安全カバーが設けられている請求項１又は請求項２記載のハンド型電動ジグソー用取付台。
【考案の詳細な説明】
【技術分野】
【０００１】
この考案は、市販されているハンド型電動ジグソーを専用の取付台に取り付けて固定することにより、切断時のハンド型電動ジグソーの振れをなくして、正確な位置で切断できるようにするハンド型電動ジグソー用取付台に関するものである。
【背景技術】
【０００２】
従来、日曜大工などにおいて木材を簡単に切断できる電動鋸として、比較的安価なハンド型電動ジグソーが市販されている。ハンド型電動ジグソーは、電動部の機材の上部側にハンド部分が設けられ、下部側に平坦状のベースが設けられ、下部先端部分に糸鋸が下向きに突出しており、この突出する糸鋸が上下に高速で往復運動することにより、木材などを簡単容易に切断できる構造になっている。このハンド型電動ジグソーを使用する場合には、片手でハンド型電動ジグソーのハンド部分を掴んで、高速で往復運動する糸鋸で例えば木材などを切断する。
【特許文献１】特開昭５７−９６８０１
【特許文献２】特開平０８−９０５０１
【考案の開示】
【考案が解決しようとする課題】
【０００３】
しかしながら、片手でハンド型電動ジグソーのハンド部分を掴んで木材などを切断する場合、高速で往復運動する糸鋸の刃が例えば木材を切断中にあっては木材に接触しその反作用で激しく振動して、その反動によりハンド型電動ジグソーを掴んでいる腕が振れて、木材を正確な位置で切断するのが困難でアバウトな切断となっており、日曜大工などにおいて、正確な設計寸法に基づいて物を造るときにはこのハンド型電動ジグソーを使用しての製作が困難であった。
【０００４】
この考案は、上記のような課題に鑑み、その課題を解決すべく創案されたものであって、その目的とするところは、市販されている安価なハンド型電動ジグソーを用い、これを専用の取付台に取り付けて固定することにより、切断時のハンド型電動ジグソーの振れをなくして、正確な位置で切断できるようにして、日曜大工などにおいて正確な設計寸法による物の製作を可能にすることのできるハンド型電動ジグソー用取付台を提供することにある。
【課題を解決するための手段】
【０００５】
以上の目的を達成するために、請求項１の考案は、作業テーブルの下面側に市販のハンド型電動ジグソーをそのジグソーを上向きにして取り付け固定する取付固定盤を設け、作業テーブルの表面に下面側に取り付け固定したハンド型電動ジグソーのジグソーが上向きに貫通するジグソー貫通孔を形成し、作業テーブルの下面側から上向きに貫通突出するジグソーの両側で切断部材を押えて切断時に切断部材が振動するのを防ぐ押え片を備えた押え盤を作業テーブルの上面側に設け、切断部材の切断中にこれをガイドするガイド盤を作業テーブルの上面側に設け、作業テーブルの周縁部に複数の支持脚を設けた手段よりなるものである。
【０００６】
また、請求項２の考案は、作業テーブルの下面側の中央部位に市販のハンド型電動ジグソーの前部側に設けられたベースが挿入されるベース穴を形成し、ベースから前方に突出するジグソーを上向きにして、ベース穴に挿入されるハンド型電動ジグソーのベースの周縁側を上向きに押圧しそのジグソーを上向きにして取り付け固定するベース穴の外周側に配置された複数のスライド固定片からなる取付固定盤を設け、作業テーブルの表面に下面側に取り付け固定したハンド型電動ジグソーのジグソーが上向きに貫通するジグソー貫通孔を形成し、作業テーブルの下面側から上向きに貫通突出するジグソーの両側で切断部材を押えて切断時に切断部材が振動するのを防ぐ上下に弾持された押え片と該押え片を昇降調節自在に下向きに支持する吊持片と該吊持片の上部を支持し下部が作業テーブルに着脱自在に取り付けられる支持アームとを備えた押え盤を作業テーブルの上面側に設け、切断部材の切断中に該切断部材の側面に沿ってこれをガイドするガイド盤を作業テーブルの上面側に可動及び固定自在に設け、作業テーブルの周縁部に折り畳み自在な複数の支持脚を設けた手段よりなるものである。
【０００７】
ここで、請求項１又は請求項２の好ましい態様として、押え片から上方に向けて突出するジグソーの外周側には透明な安全カバーが設けられている。
【考案の効果】
【０００８】
以上の記載より明らかなように、請求項１、請求項２の考案に係るハンド型電動ジグソー用取付台によれば、市販されているハンド型電動ジグソーを専用の取付台に取り付けて固定することにより、切断時のハンド型電動ジグソーの振れを確実に防ぐことができる。
これにより、従来の片手でハンド型電動ジグソーのハンド部分を掴んで切断する場合に比べて、正確な位置を切断することができ、正確な設計寸法に基づく物作りが容易になる。しかも、ハンド型電動ジグソーは専用の取付台に固定されているため、従来のように片手でハンド型電動ジグソーのハンド部分を掴んで切断する場合に比べてかなり安全である。
このように、市販の比較的安価なハンド型電動ジグソーを使用するにもかかわらず、専門家が使用する業務用の設置型の高価な電動鋸装置に近い使い方が可能となる。
これらの効果に加えて、ハンド型電動ジグソー用取付台は、小型であり、持ち運びが容易で、収納保管においても場所をとる事もなく、一般家庭で使用する所謂日曜大工用の機材としては最適である等、極めて実用的有益なる効果を奏するものである。
また、請求項３の場合には、高速で上下に往復運動するジグソーの外周側に透明な安全カバーが設けられることにより、往復運動するジグソーで怪我等をするのを未然に防ぐことができる。
【考案を実施するための最良の形態】
【０００９】
以下、図面に記載の考案を実施するための最良の形態に基づいて、この考案をより具体的に説明する。
ここで、図１はハンド型電動ジグソーの取り付け時のハンド型電動ジグソー用取付台の側面図、図２はハンド型電動ジグソーの取り付け時のハンド型電動ジグソー用取付台の正面図、図３はハンド型電動ジグソーの取り付け時のハンド型電動ジグソー用取付台の平面図、図４はハンド型電動ジグソーの取り付け時のハンド型電動ジグソー用取付台の底面図、図５はハンド型電動ジグソー用取付台の底面図、図６はハンド型電動ジグソーの取り付け時の部分拡大断面図である。
【００１０】
図において、ハンド型電動ジグソー用取付台１は、市販のハンド型電動ジグソー１０１を取り付けて固定することにより、切断時のハンド型電動ジグソー１０１の振れを確実に防ぐ専用の取付台で、作業テーブル２、作業テーブル２の下面側に設けられた取付固定盤３、作業テーブル２の表面に形成されたジグソー貫通孔４、作業テーブル２の上面側に設けられた押え盤５とガイド盤６、及び支持脚７から主に構成されている。
【００１１】
作業テーブル２は、この上で例えば木材や鋼材などが切断される場所であり、平面から見て例えば長方形の形状を有している。作業テーブル２の表面は平面状になっていて、切断時に木材や鋼材が上下に変動して切断しにくくなることがないようになっている。作業テーブル２の表面の中央部位には板厚の薄い金属製の表面板２１が取り付けられている。
【００１２】
作業テーブル２の下面側の中央部位には、市販のハンド型電動ジグソー１０１の前部側に設けられたベース１０３が挿入されるベース穴２２が形成されている。ベース穴２２は挿入されるベース１０３の形状を有している。ベース穴２２の上面側はジグソー貫通孔４を除いて上記の表面板２１の裏面側によって塞がれていて、ベース１０３が上方に浮き上がるのが防がれている。
【００１３】
長方形状に近い形状のベース穴２２の長辺側の外周側の両側には、ベース穴２２に挿入されるハンド型電動ジグソー１０１のベース１０３の周縁側を上向きに押圧して固定する複数のスライド固定片３１からなる取付固定盤３が設けられている。取付固定盤３を構成するスライド固定片３１は両側に例えば２個づつの合計４個が配置されている。
【００１４】
両側に配置された各スライド固定片３１は、スライド保持枠３２によって、ベース穴２２に向けてスライド前進及び後退自在に支持されている。各スライド固定片３１はスライド前進位置で、ベース１０３の周縁側より内側に入って下側から支持し、後退位置ではベース１０３の周縁側より外側に出て支持しない。ハンド型電動ジグソー１０１をハンド型電動ジグソー用取付台１に装着する場合及びそれから取り外す場合には各スライド固定片３１は後退位置に位置する。
【００１５】
また、各スライド固定片３１の先端側にはベース１０３を上向きに押圧して固定させるための固定螺子３１ａが上向きに螺合して取り付けられている。固定螺子３１ａの先端が当たる部分のベース１０３には例えば補助部材１０４が必要に応じて取り付けられている。ベース１０３はこの補助部材１０４を通じて各スライド固定片３１の先端側に上向きに取り付けられた固定螺子３１ａによって押圧されて固定される。
【００１６】
これにより、ハンド型電動ジグソー１０１は作業テーブル２の下面側に固定状態で取り付けられることになり、切断中にジグソー１０２が振れるのが確実に防止され、正確に切断することが可能になる。
【００１７】
ジグソー貫通孔４は、下面側に取り付け固定したハンド型電動ジグソー１０１のジグソー１０２が上向きに貫通する孔で、作業テーブル２の表面に取り付けられた表面板２１に形成されている。ジグソー貫通孔４の形成位置は、前記したようにベース穴２２内のハンド型電動ジグソー１０１のジグソー１０２の取り付け位置に対応する箇所である。ジグソー貫通孔４はジグソー１０２の幅の小さな断面に対応した細長な溝孔に形成されていて、切断中に生じる切断屑が下側のハンド型電動ジグソー１０１側に余り落ちないようになっている。
【００１８】
作業テーブル２の上面側には、切断時に切断部材が振動して振れるのを防ぐための押え盤５が設けられている。押え盤５は、切断部材を直接押える押え片５１と、押え片５１が上部が支持される吊持片５２と、吊持片５２の上部が支持される支持アーム５３から構成されている。
【００１９】
押え片５１は、切断部材の上面を押える押板５１ａ、下部体５１ｂ、上部体５１ｃ、下部体５１ｂと上部体５１ｃとを上下に連結する吊持棒５１ｄ、バネ５１ｅ、吊持片５２に取り付けられる取付板５１ｆから構成されている。
【００２０】
押板５１ａはジグソー１０２を挟んでその両側の切断部材の上面を押える部材で、押板５１ａの中央部分にはジグソー１０２が上方に貫通する貫通溝５１ｇが形成されている。貫通溝５１ｇは押板５１ａの先端中央から下部体５１ｂ側に向けて細長に形成されている。
【００２１】
ジグソー１０２が上方に突出する前記貫通溝５１ｇを挟んでその外周側には、透明な箱型状の安全カバー５１ｈが必要に応じて取り付けられる。上方に突出するジグソー１０２によって怪我などをするのを防ぐものである。
【００２２】
押板５１ａの基端側は躯体型の下部体５１ｂの下部先端に一体的に固設されている。下部体５１ｂの真上には同形の躯体型の上部体５１ｃが配置されている。下部体５１ｂはその上方の上部体５１ｃに２個の吊持棒５１ｄによって上下に連結吊持されている。
【００２３】
また、２個の吊持棒５１ｄの外周にはそれぞれバネ５１ｅが外装されている。バネ５１ｅは切断時に上下に微震動する下部体５１ｂの振動を吸収して、取付板５１ｆを介して吊持片５２に連結される上部体５１ｃが上下に微震動するのを防ぐ機能を果たす。このバネ５１ｅを通じて押え片５１は上下に弾持されることになる。
【００２４】
上部体５１ｃの後端側には上向きに延設された取付板５１ｆが一体的に固設されている。取付板５１ｆは押え片５１を吊持片５２に取り付けて支持させる機能を果たす。取付板５１ｆの上部中央には取付用螺子５１ｉが水平向きに螺合されている。
【００２５】
上下方向に配置された吊持片５２の中央には上下方向に長孔５２ａが形成されている。この長孔５２ａには上記の取付用螺子５１ｉの先端が挿通して螺着されている。押え片５１は吊持片５２の長孔５２ａに取付用螺子５１ｉによって昇降調節自在に下向きに支持されている。吊持片５２の上部側は支持アーム５３の上部先端に連結されている。
【００２６】
支持アーム５３は、吊持片５２を通じて押え片５１を作業テーブル２の上面側に吊持した状態で支持するもので、上下方向に延設された支柱５３ａ、支柱５３ａの上端から前方に向けて水平に張り出した張出桁５３ｂ、張出桁５３ｂの先端に横向きに水平に取り付けられた上部支持桁５３ｃから構成される。
【００２７】
支柱５３ａはその下部側面が作業テーブル２の側縁側に垂直に設けられた支持受片２３の側面に例えばボルトナット或いは螺子などによって取り付け及び取り外しが自在になっており、支持アーム５３はこれを通じて作業テーブル２に着脱自在に取り付けられる構造になっている。支持アーム５３は上記上部支持桁５３ｃの先端に上記吊持片５２の上部側が連結されている。
【００２８】
ガイド盤６は、切断部材の切断中に該切断部材の側面に沿ってこれをガイドする部材で、作業テーブル２の上面側に可動及び固定自在に設けられている。ガイド盤６は例えば断面が矩形の直線状の棒体から形成されている。
【００２９】
ガイド盤６の長手方向の一端には作業テーブル２の一側端に係止される係止片６１が形成され、ガイド盤６の他端には作業テーブル２の反対側の他側端に締め付け係止される締付係止片６２が形成されている。締付係止片６２には螺子が取り付けられていて、この螺子を一方向に回すことにより締め付けてガイド盤６を作業テーブル２に固定し、逆向きに回すことで締め付け解除してガイド盤６を作業テーブル２に対して可動できる構造になっている。
【００３０】
作業テーブル２の周縁部の例えば４箇所の角部には、折り畳み自在な支持脚７がそれぞれ設けられている。各支持脚７はその上端側が作業テーブル２の下面側の４箇所の角部にそれぞれ取り付けられている。支持脚７を折り畳むことで作業テーブル２をコンパクトに収納することができる。
【００３１】
次に、上記考案を実施するための最良の形態の構成に基づくハンド型電動ジグソー用取付台へのハンド型電動ジグソーの取り付け作業及び取り外し作業について以下説明する。
【００３２】
ハンド型電動ジグソー用取付台１にハンド型電動ジグソー１０１を取り付ける場合には、ハンド型電動ジグソー用取付台１を傾け、作業テーブル２の下面側のベース穴２２へのハンド型電動ジグソー１０１のベース１０３の挿入の妨げとならないように、取付固定盤３を構成する各スライド固定片３１をベース穴２２の外周より外側に向けて後退させておく。
【００３３】
ハンド型電動ジグソー１０１のジグソー１０２をベース穴２２の内側に形成されたジグソー貫通孔４に貫通させながら、ハンド型電動ジグソー１０１のベース１０３をベース穴２２内に挿入させる。ベース１０３をベース穴２２内に挿入させた後、後退させていた各スライド固定片３１をベース穴２２の内側まで前進させる。
【００３４】
そして、各スライド固定片３１の先端側の固定螺子３１ａをドライバーなどを使って回してベース穴２２側に向けて螺子運動により移動させる。移動した各固定螺子３１ａの先端がベース１０３或いは必要に応じてベース１０３に取り付けられた補助部材１０４に当接して締め付けることにより、ハンド型電動ジグソー１０１は作業テーブル２の下面側に固定して取り付けられる。
【００３５】
また、ハンド型電動ジグソー１０１のハンド型電動ジグソー用取付台１への取り付け作業に相前後して、作業テーブル２の上面側に押え盤５を取り付ける。押え盤５の取り付け作業は、支持アーム５３の支柱５３ａの下部側面を作業テーブル２の表面側の側縁側に設けられた支持受片２２にボルトナット或いは螺子などを使用して取り付ける。支持アーム５３の上部支持桁５３ｃの先端に下向きに取り付けられた吊持片５２に押え片５１に取り付ける。このとき、押え片５１はその押板５１ａの中央の貫通溝５１ｇの内側にジグソー１０２が入るように調整する。
【００３６】
以上の作業を行うことにより、ハンド型電動ジグソー１０１をハンド型電動ジグソー用取付台１に容易に取り付けることが可能となる。
【００３７】
これに対して、ハンド型電動ジグソー用取付台１からハンド型電動ジグソー１０１を取り外す場合には、ハンド型電動ジグソー用取付台１を傾け、スライド固定片３１の先端側の固定螺子３１ａをドライバーなどを使って逆向きに回して、ベース穴２２側に向けて移動していた固定螺子３１ａを後退させる。
【００３８】
後退する各固定螺子３１ａの先端は、ベース１０３或いは必要に応じてベース１０３に取り付けられた補助部材１０４に当接して締め付けていた状態が解除されることにより、ハンド型電動ジグソー１０１は作業テーブル２の下面側に対する固定が解除されて取り外し可能になる。
【００３９】
そして、作業テーブル２の下面側のベース穴２２からのハンド型電動ジグソー１０１のベース１０３の取り出しの妨げとならないように、取付固定盤３を構成する各スライド固定片３１をベース穴２２の外周より外側に向けて後退させた後、ハンド型電動ジグソー１０１のベース１０３をベース穴２２から取り出す。
【００４０】
また、ハンド型電動ジグソー１０１のハンド型電動ジグソー用取付台１からの取り外し作業に相前後して、作業テーブル２の上面側に取り付けられていた押え盤５を取り外す。押え盤５の取り外し作業は、支持アーム５３の支柱５３ａの下部側面を作業テーブル２の表面側の側縁側の支持受片２２に取り付けていたボルトナット或いは螺子を緩めて取り外す。支持アーム５３の上部支持桁５３ｃの先端に下向きに取り付けられた吊持片５２から押え片５１を取り外す。
【００４１】
以上の作業を行うことにより、ハンド型電動ジグソー１０１をハンド型電動ジグソー用取付台１から容易に取り外すことが可能となる。
【００４２】
続いて、上記考案を実施するための最良の形態の構成に基づくハンド型電動ジグソー用取付台に取り付け固定したハンド型電動ジグソーによる切断部材の切断作業について以下説明する。
【００４３】
ガイド盤６の作業テーブル２の表面のガイド位置を調整した後、他端の締付係止片６２の螺子を一方向に回して締め付けて、作業テーブル２の表面にガイド盤６を固定する。切断部材の側面をガイド盤６の側面に沿わせて切断部材の先端側をジグソー１０２の手前側に置いて、ジグソー１０２の両側になる押板５１ａの高さを調整して、切断部材の上面に接する程度にした後、ハンド型電動ジグソー１０１のスイッチを入れ、切断部材を上下に往復運動するジグソー１０２の刃に向けてガイド盤６に沿って押し付けるのみで、切断部材を正確に切断することが可能となる。
【００４４】
ハンド型電動ジグソー１０１は前記したように、作業テーブル２の下面側に固定して取り付けられており、切断部材はガイド盤６に沿っており、また切断部材の上面は押え盤５の押板５１ａによって押えられているため、切断部材が切断中に振動で振れることもなく、正確に切断するのが可能となる。
【００４５】
なお、この考案は上記考案を実施するための最良の形態に限定されるものではなく、この考案の精神を逸脱しない範囲で種々の改変をなし得ることは勿論である。
【図面の簡単な説明】
【００４６】
【図１】この考案を実施するための最良の形態を示すもので、ハンド型電動ジグソーの取り付け時のハンド型電動ジグソー用取付台の側面図である。
【図２】この考案を実施するための最良の形態を示すもので、ハンド型電動ジグソーの取り付け時のハンド型電動ジグソー用取付台の正面図である。
【図３】この考案を実施するための最良の形態を示すもので、ハンド型電動ジグソーの取り付け時のハンド型電動ジグソー用取付台の平面図である。
【図４】この考案を実施するための最良の形態を示すもので、ハンド型電動ジグソーの取り付け時のハンド型電動ジグソー用取付台の底面図である。
【図５】この考案を実施するための最良の形態を示すもので、ハンド型電動ジグソー用取付台の底面図である。
【図６】この考案を実施するための最良の形態を示すもので、ハンド型電動ジグソーの取り付け時の部分拡大断面図である。
【符号の説明】
【００４７】
１    ハンド型電動ジグソー用取付台
２    作業テーブル
２１    表面板
２２    ベース穴
２３    支持受片
３    取付固定盤
３１    スライド固定片
３１ａ  固定螺子
３２    スライド保持枠
４    ジグソー貫通孔
５    押え盤
５１    押え片
５１ａ  押板
５１ｂ  下部体
５１ｃ  上部体
５１ｄ  吊持棒
５１ｅ  バネ
５１ｆ  取付板
５１ｇ  貫通溝
５１ｈ  安全カバー
５１ｉ  取付用螺子
５２    吊持片
５２ａ  長孔
５３    支持アーム
５３ａ  支柱
５３ｂ  張出桁
５３ｃ  上部支持桁
６    ガイド盤
６１    係止片
６２    締付係止片
７    支持脚
１０１    ハンド型電動ジグソー
１０２    ジグソー
１０３    ベース
１０４    補助部材
【図１】
0003116499.tif 000003
【図２】
0003116499.tif 000004
【図３】
0003116499.tif 000005
【図４】
0003116499.tif 000006
【図５】
0003116499.tif 000007
【図６】
0003116499.tif 000008